(57)【要約】【課題】  宝石を補完して際立たせる装着部を有する宝飾品及び装飾品を作るための宝石及び非宝石等の装着システムを提供する。【解決手段】  宝石を取り付けた宝飾品を作成するために支持体上に宝石及び非宝石を埋め込んで締着するためのコレットシステム。本システムは、コレット（１、２１、３０）が、交互に外側及び内側に向う様々な突出部（２、２２、３２）を有する直線的又は丸みのある多角形の閉じた輪郭で構成され、垂直溝（３、２３、３１）が、内側に向う突出部内に底部から上部まで作られ、このような溝は、コレット（１、２１）の上面に到達しないか又は狭い寸法を有し、従って、上部に向う形状又は寸法的な肩部を作り出し、溝（３、２３）は、宝石（８、２８、３８）を締着させるために溝（３、２３、３１）に適合する寸法を有する円筒形ピン（５、２５、３５）を正確に保持して締着すべきであることを特徴とする。
2005510271.tif 000002
【特許請求の範囲】
【請求項１】
宝石を取り付けた宝飾品を作成するために支持体上に宝石及び非宝石を埋め込んで締着するためのコレットシステムであって、
コレット（１、２１、３０）が、交互に外側及び内側に向う様々な突出部（２、２２、３２）を有する直線的又は丸みのある多角形の閉じた輪郭で構成され、
垂直溝（３、２３、３１）が、内側に向う前記突出部内に底部から上部まで作られ、このような溝は、前記コレット（１、２１）の上面に到達しないか又は狭い寸法を有し、従って、前記上部に向う形状又は寸法的な肩部を作り出し、
前記溝（３、２３）は、宝石（８、２８、３８）を締着させるために前記溝（３、２３、３１）に適合する寸法を有する円筒形ピン（５、２５、３５）を正確に保持して締着すべきである、
ことを特徴とするシステム。
【請求項２】
前記垂直溝（３、２３）は、丸い締着断面で前記コレット（１、２１）の内側に向けて開いていることを特徴とする請求項１に記載のコレットシステム。
【請求項３】
前記垂直溝は、円筒形（３、２３）であり、
前記ピン（５、２５、３５）は、僅かに円錐形及び朝顔形（３１）である、
ことを特徴とする請求項１に記載のコレットシステム。
【請求項４】
前記垂直溝（３）は、１８０度よりも大きなピン収容角度に従って前記コレット（１）の内側に向けて開いており、これらの溝は、溝又は中空体（３）に適合する寸法を有する単一円筒形締着ピン（５）を正確に保持して締着することを特徴とする請求項１から請求項３のいずれか１項に記載のコレットシステム。
【請求項５】
前記ピン（５、２５）及び／又は溝（３、２３）は、二重円筒形断面を有することを特徴とする請求項１に記載のコレットシステム。
【請求項６】
前記ピン（５、２５）及び／又は溝（３、２３）は、矩形楔を備えた円形断面を有することを特徴とする請求項１に記載のコレットシステム。
【請求項７】
前記ピン（５、２５）及び／又は溝（３、２３）は、カム又は液滴の形状の断面を有することを特徴とする請求項１に記載のコレットシステム。
【請求項８】
前記溝（３１）は、前記コレット（３０）の輪郭の内側突出部（３２）に底部から上部まで作られて該コレットの上部側面に達するが、底部から上部までテーパが付けられて、溝が該コレットの上部側面（３４）に達する前に狭くなり、従って、前記上部に向けて寸法的な肩部が作られ、
前記ピン（３５）は、ピンを保持して底部から上部までピンの外側において狭くなるべきである前記溝（３１、３１’）に適応し、
前記ピン（３５）はまた、それらの上部内側部分に、宝石（３８）を締着する窪み（３７）の上部及び下部部分の両方を含む、
ことを特徴とする請求項１に記載のコレットシステム。
【請求項９】
前記溝（３１）は、底部から上部まで９０度よりも大きな角度で二面断面に作られることを特徴とする請求項８に記載のコレットシステム。
【請求項１０】
前記テーパ付き溝（３１）は、突出部（３２）に既に付加された垂直中空体（３１）上に「アップリケ」（３１’）を付加することによって得られることを特徴とする請求項８に記載のコレットシステム。
【請求項１２】
宝石を取り付けた宝飾品を作成するために支持体上に宝石及び非宝石を埋め込んで締着する方法であって、
宝石（８、２８、３８）は、直線的又は丸みのある多角形の閉じた輪郭と交互に外側及び内側に向う突出部（２、２２、３２）とで構成されたコレット（１、２１、３０）の底部から宝石を挿入することによって埋め込まれ、
円筒形垂直溝（３、２３、３１）が、内側に向う前記突出部に底部から上部まで作られ、このような溝は、不完全すなわちテーパが付けられ、従って、該上部に向けて肩部を作り出し、
宝石は、次に、宝石（８、２８、３８）を締着するように前記溝（３、２３、３１）の寸法に適合する寸法を有する円筒形ピン（５、２５、３５）を各溝（３、２３、３１）に正確に導入することにより締着される、
ことを特徴とする方法。
【請求項１３】
前記円筒形垂直溝（３、２３、３１）及びピン（５、２５、３５）は、僅かに円錐形又は朝顔形であることを特徴とする請求項９に記載の宝石を埋め込む方法。
【発明の詳細な説明】
【技術分野】
【０００１】
本発明は、宝石を補完して際立たせる装着部を有する宝飾品及び装飾品を作るための宝石及び非宝石等の装着に関する。
【背景技術】
【０００２】
従来技術においては、一般的に宝飾品内の宝石の結合、支持、及び締着システムと考えられている宝石を固定して締着するための非常に多様な技術が存在する。一般的に、宝飾品及び模造宝石の宝石及び非宝石は、非常に異なるカット及び形状を有する可能性があり、それらを宝石の下のフレームに固定して結合する技術は、その形状及びそれらを受け入れるべき台座の構造に応じた特定の調節を必要とする。宝石を受け入れるべき台座に応じて、２つの基本的な埋込みシステムが可能であり、それらは、一般的に、「パーヴェー」、「ビーティング」、又は普通の方法と呼ばれる埋込み部を有する金属シート上に埋め込む方式、又は、コレット、「バスティナ」、又はベゼル内に埋め込む方式であり、一般的に、コレットは、本質的に丸い石を固定するための固定用突出部を備えた周囲を有する管状中空体を意味し、「バスティナ」は、様々な形状及びカットを有する石を埋め込んで固定するために形状が変わる万能金属構造体を意味する。
【０００３】
石を埋め込んで固定するためのシステムの内で最も広く用いられているのは、パーヴェー、ビーティング、ベゼル、及び「バッフォ」と一般的に呼ばれている装飾品である。パーヴェー技術は、金属シートの穿孔及び彫刻に基づくものであり、カットエッジを部分的に隆起させ、それによって隆起部又は「グラネッテ」を形成するための浮き彫りの部分を形成し、この隆起部が、次に、石の縁部で折り曲げられて石を彫刻の内側で締着する。しかし、石は、部分的に金属シート内に埋め込まれ、その可視性及び光を阻害される。同様に、ビーティング技術は、周囲を予め僅かに変形して作製した２枚の平行なシート、１枚のシート、又はコレット上に石を取り付けることに基づいている。石は、上述の方法で作製されたベースに、ビーターとして公知の工具を使用して石のガードル又はその側面上に上述の周囲を折り曲げて締着される。ビーティング技術を使用した場合もまた、石は金属支持体内に埋め込まれ、光及び可視性を失う。
【０００４】
ベゼル締着技術は、一種のスパイク付きクラウンが上に取り付けられたメタルスレッドで形成されたフレームの使用に基づいており、石は、その縁部でスパイクを押し曲げながら挿入される。そのような技術では、石は金属内に埋め込まれないが、いずれにしてもそのベゼル又は「クラウン」内に留まる。更に別の締着技術は、「バッフォ」として公知の技術である。石を保持すべき一連のカール又は小さな金属突出縁部が、締着コレットの下縁部から形成される。そのような技術は、埋込みを少なくして石全体が見えることを可能にするが、有効性と安全性に問題がある。
【発明の開示】
【発明が解決しようとする課題】
【０００５】
全体的に、一般に使用される技術は、石の可視性を制限し、宝石を「貴重なもの」にするその光る特徴を損なうかなり重くて取り囲む構造に石を埋め込むことを伴っている。本発明の目的は、宝石を保持して締着するがその縁部を全く覆われない状態で残し、石の全表面に光が当たることを可能にしてその特徴及び可視性を高める軽くて信頼性の高い宝石の埋込みを達成することである。本発明は、より高い可視性を有する埋込みを可能にする特別な形状を備えたコレット、すなわち石の台座に基づくものである。このような埋込みは、最早石を取り巻いてその美しさを損ねる従来技術のような支持体ではなく、限られた数の点を有するドット形状締着部材である。それは、宝石の美しさを損ねず、完全に信頼できるものである。
本発明の目的はまた、石が金属コレットからほとんど解放され、光が石の全表面に当たることを可能にして石の特徴及びその形状を際立たせる、宝飾品上に締着される宝石のための支持体を達成することである。
【課題を解決するための手段】
【０００６】
この目的は、特許請求項１において最も広義に規定され、その従属請求項において好ましい又は代替実施形態が規定された本発明により、宝石又は非宝石のための埋込み又は支持システムを作ることによって達成される。この埋込みシステムは、請求項１２において埋込み方法が最も広義に規定され、その従属請求項において好ましい又は代替実施形態が規定される。
本発明によるコレットシステムの特徴及び利点は、添付図面を参照しながら限定する意味ではなく一例として示す以下の説明から一層明らかになるはずである。
【発明を実施するための最良の形態】
【０００７】
図１は、本発明によるコレットを上方から見た図である。このコレットは、図１から図７に示すように、例えば四葉のクローバの形で交互に外側及び内側に向う複数の突出部を有する、多角形の直線又は丸い閉じた輪郭１で作られる。
コレット１の輪郭の内側突出部２内には、底部から上部まで、好ましくは円形断面を有する垂直円筒溝３が形成される。図２及び図３に示すように、そのような溝は、コレットの上部側面までは達しないでコレットの上面４に達する前に終端し、上部に向う肩部を形成する。図１から図７に示す実施形態では、そのような垂直円筒溝は、１８０度よりも大きな角度の丸い締着断面で内側方向に開いており、その各々は、溝又は中空体３に比例する寸法を有する単一円筒形締着ピン５を正確に保持して締着するためのものである。図３は、ピン５が既にその中空体３に置かれた状態を示す。３つ又はそれ以上の宝石８の装着点が可能であるが、一般的に、その数は４と６の間に限られる。
本発明の代替実施形態によれば、中空体３及びピン５は、より良い相互結合及び宝石のより有効な締着を保証するために、僅かに円錐又は朝顔の形状を有する。
【０００８】
図４は、宝石自体を上方肩部に締着させるためにピン５を挿入した、コレット１の内側の宝石８を下方から見た図である。図５は、見えていないがピン５を挿入し、上面４の頂点２の上方肩部が頂点２において宝石の上に突出して残りの周囲を完全に自由にした、コレット１の内側の宝石８を上方から見た図である。
図６Ａ及び６Ｂは、宝石の装着及び締着を一層詳細に示している。コレット１の本体は、その肩部１０に宝石８を固定するために、その中空体３に円筒ピン５を受け入れる。ピン５は、中空体３の底部には達しないが、宝石８の下面に係合して、その上面を肩部１０に押し付ける。ピン５の上端は、肩部１０の下面と同様に、肩部に対して宝石を押し付けるために適切に丸み付け又は傾斜が付けられる。ピン５が取り付けられた状態で、宝石のコレットを固定して長期に亘って有効に保つために、これらのピンを公知の手段で締着することができる。
図６Ｂに示すように、宝石８の周囲は、肩部１０に保持される点を除けば完全に解放されており、光が当たってその特徴を際立てることができる。宝石８の上部表面は、コレットの上面４の上に突き出して十分に可視である。
【０００９】
上述のように、溝又は中空体３及びピン５の形状は、円筒形又は僅かに円錐形とすることができるが、必ずしも円形断面を有する必要はなく、図７は、宝石８と係合してこれを締着するための中空体３及びピン５の代替形状を下方から見た図である。
円形断面を有するピン及び中空体が、位置Ａに示されている。中空体３は、ピン５がそれ自身回転するのを妨げることなく、これを内部に保持するために、１８０度よりも大きな収納角度を常に有する。位置Ｂには、二重円筒を有するピン及び中空体を示す。中空体３は、上述の例と同様にすることができ、又は、代替的に、ピンを保持してピンがそれ自身回転するのを防ぐために締着することもできる。位置Ｃには、矩形の楔を備えた円形断面を有するピン５を示す。この場合、関連する中空体３は、位置Ｂに示す第２の場合と同様に、常に１８０度よりも大きな収納角度を有する円形に作ることができる。カム断面又は液滴形状断面を備えたピン５を位置Ｄに示す。これは、上述のピン及びその中空体３と同様に、上述の２つの代替例に従って作ることができる。ピン５の断面の変化は、図７に示す代替例により、宝石８を保持してそれを定位置に締着するより大きな表面をもたらすために宝石８のクランパーとして作用する上端のみに限定することができる。
上述の変化は、ピンを溝内の正しい位置に保持する結合をもたらすために、ピン及び溝を、十分に類似ではあるが、要件に適する断面を有して成形することができる方法を示している。
【００１０】
上述の通り、本発明は、これまでに説明した実施形態の代替実施形態を許すものである。
図８、すなわち図８から８Ｃは、本発明によるコレットの代替実施形態を示す。図８は、上述の変形例により、上方から見たコレットを示す。これは、依然として先行の諸図に示すような四葉のクローバの形の閉じた多角形輪郭３０で構成される。コレットの輪郭１の内側突出部３２には、底部から上部まで、９０度よりも広い角度を有する二面断面を備えた溝３１が作られる。そのような溝は、コレットの上部側面に達するが、底部から上部までテーパが付されて、コレット３４の上面に達する前に狭くなり、従って、上部に向う寸法的な肩部を形成する。そのようなテーパ付き溝３１は、輪郭３０の内側に形成することができ、又は、図８Ａ〜８Ｃに示すように既に形成された垂直中空体３１上に「アップリケ」３１’を付加することによって得ることができる。
【００１１】
ピン３５は、ピンを受け入れてピンの外側部分で底部から上部まで狭くなっているべきである溝３１及び３１’に適合する。ピン３５は、その上部内側部分に、宝石３８を取り囲む溝３７の上部及び下部の両方を包含する。図８Ａは、宝石が溝３７に埋め込まれる前の２本の対向するピン３５及び宝石３８を示す。図８Ｂは、宝石３８が既にその溝３７に挿入された２本の対向するピン３５を示す。図８Ｃでは、宝石３８と一体化されたピン３５は、コレット３０に対して溝が寸法的に狭くなる許容レベルまで、ピンの溝３１及び３１’内に同時に挿入されており、これは、底部から上部まで狭くなり、宝石３８と結合したピン３５を設定レベルに締着する埋め込みを構成する。
宝石３８の装着点の典型的な数は、４点である。
【００１２】
上述の変形例は、埋込みが完了した状態で、二面角の面から宝石を構成する第３の中央側面に向うスラストに基づいて溝が形成される同じコレットで構成することができるであろう。
この場合、前の例と同様に、更に、ピンは、必ずしもその細くなる断面に基づく必要はない。上方への一定断面を有してピンを傾斜させれば十分であり、これは、上部断面（上部から）を側面において小さく保つ。得られる結果は、完全に保護された宝石の密封を保証する横方向スラストの効果である。
【００１３】
図９の上方からの図は、対向する溝の対３１及び３１Ａによる装着を示し、各対の溝は、他の対の溝とは異なる形態を有する。
上述の例によれば、異なる断面、すなわち、傾斜した一定断面、傾斜していないテーパ付き断面、及び傾斜したテーパ付き断面を有するピンを使用して本発明を実施することが可能であることがこの例によって明らかである。言い換えると、ピン及び／又は溝は、任意の幾何学的形状の断面を有することができる。
【００１４】
本発明によるコレットシステムは、埋込みのためのシステムとして従来技術によって提案された宝石の埋込み及び締着システムと比較して、大きな利点を提供する。それらのうちの関連する利点は以下の通りである。
本発明によるコレットシステムは、宝石を取り囲むことなくコレットから突き出たその上部部分を残し、表面全体を実質的に光の屈折に関して自由な状態にし、長期間に亘って確実かつ有効なかなり多くの点が得られる宝石の締着を可能にする。
【００１５】
本発明によるコレットシステムは、輪郭のかなり多くの点で機能するので、任意の輪郭及び宝石形状に適応することができる。周囲の溝及び突出部を有する多角形コレット輪郭は、宝飾品に埋め込まれる宝石の縁部の起こり得る不均一性及び非対称性に適応する大きな能力を提供する。
コレットの多角形断面のローブ状開口部は、側面を含む宝石全体に光を到達させて宝石の美しさを際立たせる。
【図面の簡単な説明】
【００１６】
【図１】コレット又は宝石支持体を上方から見た図である。
【図２】ピンを取り去った状態の図１のコレットのＡ−Ａ断面図である。
【図３】ピンを挿入した状態の図１のコレットのＡ−Ａ断面図である。
【図４】図３のコレットを宝石を挿入した状態で下方から見た図である。
【図５】図３のコレットを宝石を挿入した状態で上方から見た図である。
【図６Ａ】本発明によるコレットの構造及び装着の詳細を示す図である。
【図６Ｂ】本発明によるコレットの構造及び装着の詳細を示す図である。
【図７】宝石に係合して締着するためのピンの代替形状を示す図である。
【図８】本発明の更なる変形実施形態を示す図である。
【図８Ａ】本発明の更なる変形実施形態を示す図である。
【図８Ｂ】本発明の更なる変形実施形態を示す図である。
【図８Ｃ】本発明の更なる変形実施形態を示す図である。
【図９】本発明の別の可能な実施形態を示す平面図である。
【符号の説明】
【００１７】
１  コレット
３  溝又は中空体
４  上面
５  円筒形締着ピン
８  宝石
【図１】
2005510271.tif 000003
【図２】
2005510271.tif 000004
【図３】
2005510271.tif 000005
【図９】
2005510271.tif 000006
【図４】
2005510271.tif 000007
【図５】
2005510271.tif 000008
【図６Ａ】
2005510271.tif 000009
【図６Ｂ】
2005510271.tif 000010
【図７】
2005510271.tif 000011
【図８】
2005510271.tif 000012
【図８Ａ】
2005510271.tif 000013
【図８Ｂ】
2005510271.tif 000014
【図８Ｃ】
2005510271.tif 000015
【国際調査報告】
2005510271.tif 000016
2005510271.tif 000017